(57)【要約】【課題】快速脱着ロッドとある程度の開角を有するようにネジを回転することができ、使用可能な場合が従来のものよりも拡大するボール形状連結端付き工具ヘッドを提供する。【解決手段】一端がネジを駆動するための駆動部３１であり、他端が定位凹みを有する連接部３２であり、連接部が快速脱着ロッド５０に挿入され、定位凹み３２１が快速脱着ロッドの定位子に定位されるボール形状連結端付き工具ヘッド３０において、連接部には、ネック部３３と、ボール部３４と、が内側から外側へ順次に設けられ、ネック部は、連接部の末端から伸び、その幅が連接部の末端から徐々に縮小し、ボール部４０は、連接部の末端から伸び、その幅が連接部の末端から徐々に拡大し、ボール部が定位子に係止され、快速脱着ロッドの定位子によりボール部が係止されるときには、連接部が快速脱着ロッドから離脱可能である。【選択図】図２
0003159480.tif 000002
【実用新案登録請求の範囲】
【請求項１】
一端がネジを駆動するための駆動部であり、他端が定位凹みを有する連接部であり、前記連接部が快速脱着ロッドに挿入され、前記定位凹みが前記快速脱着ロッドの定位子に定位されるボール形状連結端付き工具ヘッドにおいて、
前記連接部には、ネック部と、ボール部と、が内側から外側へ順次設けられ、
前記ネック部は、前記連接部の末端から伸び、その幅が前記連接部の末端から徐々に縮小し、
前記ボール部は、前記連接部の末端から伸び、その幅が前記連接部の末端から徐々に拡大するとともに、前記定位子に係止され、
前記快速脱着ロッドの前記定位子により前記ボール部が係止されるときには、前記連接部が前記快速脱着ロッドから離脱し、これにより、前記ボール形状連結端付き工具ヘッドは、前記快速脱着ロッドとある程度の開角を有するように回転することができることを特徴とする、ボール形状連結端付き工具ヘッド。
【請求項２】
前記連接部は、横断面形状が六角形を呈することを特徴とする、請求項１に記載のボール形状連結端付き工具ヘッド。
【考案の詳細な説明】
【技術分野】
【０００１】
本考案は工具ヘッドに関し、特に、ボール形状連結端付き工具ヘッドに関するものである。
【背景技術】
【０００２】
図１に示すように、従来の工具ヘッド１０は、快速脱着ロッド２１に挿入されてネジ２２をねじ込みたり、緩めたりすることができる。工具ヘッド１０は、一端が連接部１１であり、他端が駆動部１２であり、連接部１１は、六角形の横断面形状を有するロッドであり、周面に定位凹み１１１が設けられ、定位凹み１１１は、快速脱着ロッド２１の六角形の横断面形状を有する挿入ポート２１１に挿入され、快速脱着ロッド２１の定位子（図示せず）に定位される。なお、駆動部１２の形状は、一字形を呈してもいいし、十字形を呈してもいいし、梅花の形状を呈してもいいし、星の形状を呈してもいいし、多角形状を呈してもいいし、それ以外の何れかの形状を呈してもよい。図１における駆動部１２の形状が十字形を呈し、ネジ２２を駆動する。
【０００３】
しかしながら、従来の工具ヘッド１０が快速脱着ロッド２１に挿入すると、工具ヘッド１０の駆動部１２と連接部１１と快速脱着ロッド２１が一直線にあり、工具ヘッド１０は、快速脱着ロッド２１とある程度の開角を有することができず、使用可能な場合が規制される。
【考案の概要】
【考案が解決しようとする課題】
【０００４】
本考案の主な目的は、工具ヘッドが快速脱着ロッドに挿入すると、工具ヘッドは、快速脱着ロッドとある程度の開角を有するようにネジを回転することができ、使用可能な場合が従来のものよりも拡大するボール形状連結端付き工具ヘッドを提供することにある。
【課題を解決するための手段】
【０００５】
本考案のボール形状連結端付き工具ヘッドによると、一端がネジを駆動するための駆動部であり、他端が定位凹みを有する連接部であり、前記連接部が快速脱着ロッドに挿入され、前記定位凹みが前記快速脱着ロッドの定位子に定位されるボール形状連結端付き工具ヘッドにおいて、前記連接部には、ネック部と、ボール部と、が内側から外側へ順次に設けられ、前記ネック部は、前記連接部の末端から伸び、その幅が前記連接部の末端から徐々に縮小し、前記ボール部は、前記連接部の末端から伸び、その幅が前記連接部の末端から徐々に拡大し、前記ボール部が前記定位子に係止され、前記快速脱着ロッドの前記定位子により前記ボール部が係止されるときには、前記連接部が前記快速脱着ロッドから離脱し、これにより、前記工具ヘッドは、前記快速脱着ロッドとある程度の開角を有するように回転することができることを特徴とする。
【０００６】
本考案のボール形状連結端付き工具ヘッドによると、前記連接部は横断面形状が六角形を呈することを特徴とする。
【考案の効果】
【０００７】
本考案のボール形状連結端付き工具ヘッドによれば、工具ヘッドが快速脱着ロッドに挿入すると、工具ヘッドは、快速脱着ロッドとある程度の開角を有するようにネジを回転することができ、使用可能な場合が従来のものよりも拡大するという効果を有する。
【図面の簡単な説明】
【０００８】
【図１】従来の工具ヘッド、快速脱着ロッド及びネジの分解斜視図である。
【図２】本考案のボール形状連結端付き工具ヘッド、快速脱着ロッド及びネジの分解斜視図である。
【図３】本考案のボール形状連結端付き工具ヘッドが快速脱着ロッドに挿入された状態の断面図である。
【図４】本考案のボール形状連結端付き工具ヘッドが快速脱着ロッドに挿入されて使用する状態の模式図である。
【図５】本考案のボール形状連結端付き工具ヘッドが快速脱着ロッドに挿入されて、本考案のボール形状連結端付き工具ヘッドが快速脱着ロッドに対してある程度の開角を有することができることを示す模式図である。
【考案を実施するための最良の形態】
【０００９】
以下、本考案の実施の形態を図面に基づいて説明する。
まず、図２及び図３を参照する。本考案のボール形状連結端付き工具ヘッド３０は、一端が駆動部３１であり、駆動部３１の形状は、一字形を呈してもいいし、十字形を呈してもいいし、梅花の形状を呈してもいいし、星の形状を呈してもいいし、多角形状を呈してもいいし、それ以外の何れかの形状を呈してもよい。本実施例では、駆動部３１の形状が十字形を呈し、ネジ４０を駆動することができる。工具ヘッド３０の他端が定位凹み３２１を有する連接部３２であり、連接部３２は、横断面形状が六角形を呈し、快速脱着ロッド５０の挿入ポート５１に挿入され可能である。定位凹み３２１は快速脱着ロッド５０の定位子５２に定位される。
【００１０】
工具ヘッド３０の連接部３２には、ネック部３３と、ボール部３４と、が内側から外側へ順次に設けられ、すなわち、ネック部３３とボール部３４が駆動部３１から遠ざかった箇所に成形される。ネック部３３は、連接部３２の末端から伸び、その幅が連接部３２の末端から徐々に縮小し、すなわち、ネック部３３の外径が連接部３２の外径よりも小さい。ボール部３４は、連接部３２の末端から伸び、その幅が連接部３２の末端から徐々に拡大し、すなわち、ボール部３４の外径がネック部３３の外径よりも大きい。ボール部３４が定位子５２に係止され、快速脱着ロッド５０の定位子５２によりボール部３４が係止されるときには、連接部３２が快速脱着ロッド５０の挿入ポート５１から離脱し、これにより、工具ヘッド３０は、快速脱着ロッド５０とある程度の開角を有するように回転することができる。
【００１１】
次に、図３乃至図５を参照しながら本考案の操作方式および効果を説明する。
図３は本考案の工具ヘッド３０の連接部３２が快速脱着ロッド５０の挿入ポート５１に完全に挿入された状態の断面図である。このとき、工具ヘッド３０の連接部３２の定位凹み３２１が快速脱着ロッド５０の定位子５２に定位され、工具ヘッド３０と快速脱着ロッド５０が一直線にある。
【００１２】
図４は本考案のボール形状連結端付き工具ヘッド３０が快速脱着ロッド５０に挿入されて使用する状態の模式図であり、図５は、本考案のボール形状連結端付き工具ヘッド３０が快速脱着ロッド５０に挿入されて、本考案のボール形状連結端付き工具ヘッド３０が快速脱着ロッド５０に対してある程度の開角を有することができることを示す模式図である。快速脱着ロッド５０のスライドブッシュ５３を操作することにより、定位子５２を、工具ヘッド３０の連接部３２の定位凹み３２１から離脱して、ネック３３を経由してボール部３４と係止し、このとき、工具ヘッド３０の連接部３２が快速脱着ロッド５０の挿入ポート５１から離脱し、徐々に縮径するネック部３３が挿入ポート５１の開口に位置する。そうすると、工具ヘッド３０は、快速脱着ロッド５０とある程度の開角を有するように回転することができ、使用可能な場合が従来のものよりも拡大する。
【産業上の利用可能性】
【００１３】
本考案は、工具ヘッドに適用することができる。
【符号の説明】
【００１４】
１０：工具ヘッド、１１：連接部、１２：駆動部、２１：快速脱着ロッド、２２：ネジ、３０：工具ヘッド、３１：駆動部、３２：連接部、３３：ネック部、３４：ボール部、４０：ネジ、５０：快速脱着ロッド、５１：挿入ポート、５２：定位子、５３：スライドブッシュ、１１１：定位凹み、２１１：挿入ポート、３２１：定位凹み。
【図１】
0003159480.tif 000003
【図２】
0003159480.tif 000004
【図３】
0003159480.tif 000005
【図４】
0003159480.tif 000006
【図５】
0003159480.tif 000007